(57)【要約】      （修正有）【課題】構造がより簡単になり、作動形態もより機敏になり、実用性のある手足ストレッチ健康器を提供する。【解決手段】主に横方向掛け渡し管１０と、横方向掛け渡し管１０に間隔をおいて配設される２つの足掛け部２０と、牽引伸張区間３１と連結区間３２とを有する２つの弾性引張管３０と、牽引伸張区間に別設される２つのループ部位４０と、縦方向貫装孔６１と横穴６２とを有する弾性拘束スリーブ６０とを備え、各足掛け部２０にいずれもアーチ状の足ストラップ２２が設けられ、連結区間３２が横方向掛け渡し管１０に周設され、かつ２つの足掛け部２０の間に位置し、また、縦方向貫装孔６１は、連結区間３２の外周が圧入されることによって、連結区間３２に対して弾性拘束作用を生じさせ、少なくとも１つの係着具７０が弾性引張管３０の少なくとも１つの管口端３３の内部に閉塞位置決めされることによって、位置決め作用を得る。【選択図】図２
0003221573.tif 000002
【実用新案登録請求の範囲】
【請求項１】
２つの足掛け部２０と、
牽引伸張区間３１と連結区間３２とを有する２つの弾性引張管３０と、
２つの管端１１と前記２つの管端１１の間に介在する管胴体区間１２とを有する横方向掛け渡し管１０と、
各当該牽引伸張区間３１に別設される２つのループ部位４０と、
中空管形態を呈してそれぞれ前記２つの弾性引張管３０の当該牽引伸張区間３１に設けられた当該ループ部位４０が貫装される２つのハンドル５０と、
縦方向貫装孔６１と横穴６２とを有する弾性拘束スリーブ６０とを備える手足ストレッチ健康器であって、
各当該足掛け部２０に前記横方向掛け渡し管１０の前記管胴体区間１２を貫装するための横方向貫通孔２１が設けられ、かつ前記２つの足掛け部２０が前記管胴体区間１２に左右に間隔をおいて配置される関係を呈し、また、各当該足掛け部２０にいずれもアーチ状の足ストラップ２２が設けられ、
当該連結区間３２が前記横方向掛け渡し管１０の前記管胴体区間１２に周回連設され、かつ当該連結区間３２を前記２つの足掛け部２０の間に位置させ、また、各当該弾性引張管３０は、少なくとも１つの管口端３３を有し、
前記横穴６２には、前記横方向掛け渡し管１０の前記管胴体区間１２が貫装され、前記弾性拘束スリーブ６０を前記２つの足掛け部２０の間に位置させ、前記縦方向貫装孔６１は、前記２つの弾性引張管３０が周回連設形態を呈する当該連結区間３２の外周が圧入されることによって、前記２つの弾性引張管３０の当該連結区間３２に対して弾性拘束作用を生じさせ、
当該弾性引張管３０の内径よりも大きくした外径を有し、当該弾性引張管３０の前記少なくとも１つの管口端３３の内部に閉塞位置決めされることによって、位置決め作用を得る少なくとも１つの係着具７０を備えていることを特徴とする、手足ストレッチ健康器。
【請求項２】
前記２つの弾性引張管３０は、各別に閉鎖ループ状形態を呈し、かつ各当該弾性引張管３０の２つの当該管口端３３の管壁は、内外相互に挿嵌され、さらに当該係着具７０を管壁が内側にある当該管口端３３の内部に閉塞することによって、環状リング形態に位置決めされることを特徴とする、請求項１に記載の手足ストレッチ健康器。
【請求項３】
当該弾性引張管３０の２つの当該管口端３３の相互に挿嵌される部位の設置形態は、第１ないし第３設置形態のうちいずれか１種を含み、
前記第１設置形態は、当該弾性引張管３０の２つの当該管口端３３の相互に挿嵌される前記部位が当該牽引伸張区間３１に設けられた当該ループ部位４０の頂上部分に位置することで、当該ハンドル５０に前記部位が対応して貫装されることによって、２つの前記管口端３３の相互に挿嵌される前記部位を当該ハンドル５０内に包み隠す設置形態であり、
前記第２設置形態は、当該弾性引張管３０の２つの当該管口端３３の相互に挿嵌される前記部位が当該連結区間３２に位置することで、前記弾性拘束スリーブ６０に前記部位が対応して貫装されることによって、前記２つの管口端３３の相互に挿嵌される前記部位を前記弾性拘束スリーブ６０内に包み隠す設置形態であり、
前記第３設置形態は、当該弾性引張管３０の２つの当該管口端３３の相互に挿嵌される前記部位が当該連結区間３２と当該牽引伸張区間３１の間に位置し、かつ２つの前記管口端３３の相互に挿嵌される前記部位の外部に再び縦方向スリーブ８０が取り付けられることで、２つの前記管口端３３の相互に挿嵌される前記部位を前記縦方向スリーブ８０内に包み隠し、かつ前記縦方向スリーブ８０を境界として当該牽引伸張区間３１に設けられた当該ループ部位４０を形成する設置形態であることを特徴とする、請求項２に記載の手足ストレッチ健康器。
【請求項４】
前記２つの弾性引張管３０Ｂは、単一の管体で周設して分岐状に構成され、前記２つの弾性引張管３０Ｂの当該連結区間３２Ｂを単一管囲繞形態として設けて前記横方向掛け渡し管１０の前記管胴体区間１２に連設して、前記弾性引張管３０Ｂの２つの伸長部位をそれぞれ上向きに延長して前記２つの弾性引張管３０Ｂの当該牽引伸張区間３１Ｂが形成されることを特徴とする、請求項１に記載の手足ストレッチ健康器。
【請求項５】
各当該弾性引張管３０Ｂの当該牽引伸張区間３１Ｂと当該ループ部位４０との間は、さらに連結用の分岐管９０を介して相連結され、前記連結用の分岐管９０は、相互に連通される横方向通路９１と縦方向錐状縮径通路９２とを有し、当該ループ部位４０の底部分が前記横方向通路９１を通り抜け、当該牽引伸張区間３１Ｂが上向きに前記縦方向錐状縮径通路９２内に挿入され、かつ当該弾性引張管３０Ｂに設けられた当該管口端３３Ｂの内部に閉塞される当該係着具７０により、位置決めの抜け止めを行うことを特徴とする、請求項４に記載の手足ストレッチ健康器。
【考案の詳細な説明】
【技術分野】
【０００１】
本考案は、運動健康器に係り、特に、手足ストレッチ健康器の斬新な構造形態の開示に関するものである。
【背景技術】
【０００２】
手足ストレッチ健康器としては、運動健康器の１種に属し、構造が簡単で、スペースを取らず、また、好適な筋力鍛練効果が兼備される利点があるので、現在、大勢の使用消費者に広く愛用されている。
【０００３】
従来の手足ストレッチ健康器は、その構造形態設計上、主に２つの足掛け部と、２つの弾性引張コードと、前記２つの弾性引張コードの延長端に取り付けられている２つのハンドルとから構成され、その使用上、使用者が両足でそれぞれ２つの足掛け部を踏むことができ、２つのハンドルを両手で伸展して力を加えて引き伸ばしたり、緩めたりする動作を行い、また弾性引張コードの弾力を利用して抵抗力作用が働くに従って、手足の筋力を鍛練する効果を達成することができる。
【考案の概要】
【考案が解決しようとする課題】
【０００４】
しかしながら、上記段落に述べた従来の手足ストレッチ健康器は、実際の使用経験において、依然としていくつかの問題点が存在することが発見された。例を挙げて言えば、それらの各構成部材の間の相互に組み合わせて連結される形態は、往々にして複雑過ぎになりがちであり、組み立てに時間がかかって不便であり、及び位置決め効果が不十分になるなどといった欠点は、今もなお存在している。それゆえ、手足ストレッチ健康器の製品品質と使用効果に影響を与える。さらに、従来の手足ストレッチ健康器の２つのハンドルは、通常、各々連結固定されて同時に動作する形態になるように設計され、このようにして使用者は、操作過程において、左手、右手を同時に動作させるのみとなるため、単独各別に機敏に運動させることができない問題点は、確実に、関連業界が鋭意思案を重ねて突破すべき重要な技術的課題である。
【０００５】
本考案は、手足ストレッチ健康器を提供することを主な目的とし、その解決しようとする技術的課題は、如何にして構造がより簡単になり、かつ作動形態もより機敏になり、より理想的で実用性のあるオリジナルな手足ストレッチ健康器の構造形態を研究開発するかを目標として革新突破を図ることである。
【課題を解決するための手段】
【０００６】
前述した目的に基づいて、本考案の課題を解決するための技術的特長として、主にかかる手足ストレッチ健康器は、２つの管端と前記２つの管端の間に介在する管胴体区間とを有する横方向掛け渡し管と、２つの足掛け部と、２つの弾性引張管と、２つのループ部位と、２つのハンドルと、弾性拘束スリーブとを備え、各足掛け部に横方向掛け渡し管の管胴体区間を貫装するための横方向貫通孔が設けられ、かつ２つの足掛け部が管胴体区間に左右に間隔をおいて配置される関係を呈し、また、各足掛け部にいずれもアーチ状の足ストラップが設けられ、各弾性引張管は、牽引伸張区間と連結区間とを有し、その内、連結区間が横方向掛け渡し管の管胴体区間に周回連設され、かつ連結区間を２つの足掛け部の間に位置させ、また、各弾性引張管は、少なくとも１つの管口端を有し、２つのループ部位は、各牽引伸張区間に別設され、２つのハンドルは、中空管形態を呈してそれぞれ２つの弾性引張管の牽引伸張区間に設けられたループ部位が貫装され、弾性拘束スリーブは、縦方向貫装孔と横穴とを有し、その内、横穴には、横方向掛け渡し管の管胴体区間が貫装され、弾性拘束スリーブを２つの足掛け部の間に位置させ、縦方向貫装孔は、２つの弾性引張管が周回連設形態を呈する連結区間の外周が圧入されることによって、２つの弾性引張管の連結区間に対して弾性拘束作用を生じさせ、また、弾性引張管の内径よりも大きくした外径を有し、弾性引張管の管口端の内部に閉塞位置決めされることによって、位置決め作用を得る少なくとも１つの係着具を備えている。
【考案の効果】
【０００７】
このような斬新な独特の形態と技術的特徴によれば、本考案は、従来の技術に比べて、横方向掛け渡し管、足掛け部、弾性引張管、ハンドル、弾性拘束スリーブ及び係着具などから構成される簡易式手足ストレッチ健康器を提供することができ、その構成部材が簡単化され、かつ組み立てが容易になり、量産に有利となり、好適な産業経済利益に合致し、かつ体積の小型化が図られ、スペースを取らずにすみ、収納に有効利用できるようになる。かつ、言及に値することとして、それらの２つの足掛け部の間は、弾性拘束スリーブを介して２つの弾性引張管の連結区間に対して弾性拘束作用を生じさせる技術的特徴によれば、構造が簡易化され、また、極めて優れた位置決め効果を得ることができる。しかも、それらの２つのハンドルが、それぞれ２つの弾性引張管の牽引伸張区間に設けられる独特の形態によれば、使用者が２つのハンドルを操作する時、その左手、右手を各別に機敏に運動させることができ、従って運動、娯楽などの効果がより優れた実用的利点を達成することができる。
【図面の簡単な説明】
【０００８】
【図１】本考案の好適な実施形態の組合せ斜視図である。
【図２】本考案の好適な実施形態の分解斜視図である。
【図３】本考案の足掛け部にアーチ状の足ストラップが設けられた分解斜視図である。
【図４】本考案の好適な実施形態の前面図である。
【図５】本考案のハンドルと弾性引張管の管口端との組合せ断面図である。
【図６】本考案の弾性拘束スリーブと横方向掛け渡し管との組合せ断面図である。
【図７】本考案の係合式端蓋と横方向掛け渡し管と足掛け部との組合せ拡大断面図である。
【図８】本考案の弾性引張管の管口端の別の実施形態の断面図である。
【図９】本考案の弾性引張管の管口端のさらに別の実施形態の断面図である。
【図１０】本考案の第２の好適な実施形態の組合せ斜視図である。
【図１１】本考案の第２の好適な実施形態の弾性引張管に連結用の分岐管が設けられた組合せ断面図である。
【図１２】本考案の第２の好適な実施形態の弾性引張管の連結区間を単一管囲繞形態として設けて横方向掛け渡し管に連設した前面図である。
【図１３】本考案の使用状態概略図である。
【考案を実施するための形態】
【０００９】
図１〜図７を参照すると、これらの図に示すのは、本考案の手足ストレッチ健康器の好適な実施形態であるが、これらの実施形態は説明のみに用いられるもので、実用新案登録請求の際、それらの構造に制限されないものとする。
【００１０】
かかる手足ストレッチ健康器は、下記の構成を備える。すなわち、本考案は、２つの管端１１と前記２つの管端１１の間に介在する管胴体区間１２とを有する横方向掛け渡し管１０と、２つの足掛け部２０と、２つの弾性引張管（コード）３０と、２つのループ部位４０と、２つのハンドル５０と、縦方向貫装孔６１と横穴６２とを有する弾性拘束スリーブ６０とを備え、各当該足掛け部２０に前記横方向掛け渡し管１０の管胴体区間１２を貫装するための横方向貫通孔２１が設けられ、かつ前記２つの足掛け部２０が前記管胴体区間１２に左右に間隔をおいて配置される関係を呈し、また、各当該足掛け部２０にいずれもアーチ状の足ストラップ２２が設けられ、各当該弾性引張管３０は、牽引伸張区間３１と連結区間３２とを有し、その内、当該連結区間３２が前記横方向掛け渡し管１０の管胴体区間１２に周回連設され、かつ当該連結区間３２を前記２つの足掛け部２０の間に位置させ、また、各当該弾性引張管３０は、少なくとも１つの管口端３３を有し、２つのループ部位４０は、各当該牽引伸張区間３１に別設され、２つのハンドル５０は、中空管形態を呈してそれぞれ前記２つの弾性引張管３０の牽引伸張区間３１に設けられたループ部位４０が貫装され、その内、前記横穴６２には、前記横方向掛け渡し管１０の管胴体区間１２が貫装され、前記弾性拘束スリーブ６０を前記２つの足掛け部２０の間に位置させ、前記縦方向貫装孔６１は、前記２つの弾性引張管３０が周回連設形態を呈する連結区間３２の外周が圧入されることによって、当該連結区間３２に対して弾性拘束作用を生じさせ（詳細は図６を参照）、また、当該弾性引張管３０の内径よりも大きくした外径を有し、当該弾性引張管３０の少なくとも１つの管口端３３の内部に閉塞位置決めされることによって、位置決め作用を得る少なくとも１つの係着具（ボール）７０を備えている。
【００１１】
図５に示すように、本例において、前記２つの弾性引張管３０は、各別に閉鎖ループ状形態を呈し、かつ各当該弾性引張管３０の２つの管口端３３の管壁は、内外相互に挿嵌され、さらに当該係着具７０を管壁が内側にある当該管口端３３の内部に閉塞することによって、環状リング形態に位置決めされる。また、本例において、当該係着具７０が剛性円球状（ボール）に構成される。
【００１２】
図２、図４と図５に示すように、その内、当該弾性引張管３０の２つの管口端３３の相互に挿嵌される部位が当該牽引伸張区間３１に設けられたループ部位４０の頂上部分に位置することで、当該ハンドル５０に前記部位が対応して貫装されることによって、前記２つの管口端３３の相互に挿嵌される部位を当該ハンドル５０内に包み隠す。
【００１３】
図２と図７に示すように、本例において、前記横方向掛け渡し管１０の各前記管端１１に、さらに係合式端蓋１３が取り付けられ、前記係合式端蓋１３は、挿着管部１３１と、拡径当接縁１３２と、複数の係止フック１３３とを含み、その内、前記挿着管部１３１は、前記横方向掛け渡し管１０の管端１１内に挿入されるために用いられ、前記拡径当接縁１３２は、前記挿着管部１３１の外端に設けられ、かつ前記拡径当接縁１３２の外径を前記横方向掛け渡し管１０の外径より大きくすることで、前記アーチ状の足ストラップ２２及び足掛け部２０に対して位置規制することができ、また、前記横方向掛け渡し管１０のその管端１１に近い箇所の管壁に、前記係合式端蓋１３の複数の係止フック１３３の位置付け掛合のための複数の位置決め孔１４が設けられることで、前記係合式端蓋１３の取付状態に位置決めされる。
【００１４】
上記の構造組立形態と技術的特徴によれば、本考案に開示された手足ストレッチ健康器は、使用時、図１３に示すように、使用者が両足でそれぞれ２つの足掛け部２０を踏むことができ、そして両手で各別に２つのハンドル５０を握持し、それから、伸展動作を行い始め、伸張過程において、弾性引張管３０にある弾性を利用して適切な抵抗力を生じるに従って、手腕の筋力と身体各部位の協調性を鍛練する効果を達成することができる。かつ、言及に値するのは、本考案の２つのハンドル５０が、それぞれ２つの弾性引張管３０の牽引伸張区間３１に設けられている独特の形態によれば、使用者が２つのハンドル５０を操作する時、その左手、右手を各別に機敏に運動させることができ、このため、運動、娯楽などの効果がより優れたものになり、かつ身体のひねり可動性が相対的により一層自由で大きくなる。
【００１５】
一方、本考案の２つの足掛け部２０の間が、弾性拘束スリーブ６０を介して２つの弾性引張管３０の連結区間３２に対して弾性拘束作用を生じさせる技術的特徴によれば、当該連結区間３２の巻回箇所の管壁が圧迫状態を呈するので、この状態自体は、既に適切な摩擦による滑り止めを発揮する位置決め効果を実現することができ、そして前記弾性拘束スリーブ６０で外周を緊密に拘束するようにし、さらに極めて優れた位置決め効果が得られ、かつ構造の簡易性も併せ持つことができる。
【００１６】
図８に示される本考案の管口端３３の別の実施形態によれば、本例において、当該弾性引張管３０の２つの管口端３３の相互に挿嵌される部位が当該連結区間３２に位置することで、前記弾性拘束スリーブ６０に前記部位が対応して貫装されることによって、前記２つの管口端３３の相互に挿嵌される部位を弾性拘束スリーブ６０内に包み隠す。
【００１７】
図９に示される本考案の管口端３３のさらに別の実施形態によれば、本例において、当該弾性引張管３０の２つの管口端３３の相互に挿嵌される部位が当該連結区間３２と当該牽引伸張区間３１の間に位置し、かつ前記２つの管口端３３の相互に挿嵌される部位の外部に再び縦方向スリーブ８０が取り付けられることで、前記２つの管口端３３の相互に挿嵌される部位を縦方向スリーブ８０内に包み隠し、かつ前記縦方向スリーブ８０を境界として当該牽引伸張区間３１に設けられたループ部位４０を形成する。
【００１８】
図１０〜図１２に示される本考案の第２の好適な実施形態によれば、本例において、前記２つの弾性引張管３０Ｂは、単一の管体で周設して分岐状に構成され、前記２つの弾性引張管３０Ｂの連結区間３２Ｂを単一管囲繞形態として設けて前記横方向掛け渡し管１０の管胴体区間１２に連設して、弾性引張管３０Ｂの２つの伸長部位をそれぞれ上向きに延長して前記２つの弾性引張管３０Ｂの牽引伸張区間３１Ｂが形成される。なお図１２では、一部の構成部材を仮想線で図示している。
【００１９】
図１０と図１１に示すように、その内、各当該弾性引張管３０Ｂの牽引伸張区間３１Ｂと当該ループ部位４０との間は、さらに連結用の分岐管９０を介して相連結され、前記連結用の分岐管９０は、相互に連通される横方向通路９１と縦方向錐状縮径通路９２とを有し、その内、当該ループ部位４０の底部分が前記横方向通路９１を通り抜け、当該牽引伸張区間３１Ｂが上向きに前記縦方向錐状縮径通路９２内に挿入され、かつ当該弾性引張管３０Ｂに設けられた管口端３３Ｂの内部に閉塞される当該係着具７０（剛性円球状（ボール）に構成されてもよい）により、位置決めの抜け止めを行う。図１０〜図１２に開示された実施形態から分かるように、本考案における２つの弾性引張管３０Ｂは、単一の管体で周設して分岐状に構成される形態であってもよいから、前に述べた図１〜図７に開示された第１実施形態に限定されるものではない。
【符号の説明】
【００２０】
１０：横方向掛け渡し管
１１：管端
１２：管胴体区間
１３：係合式端蓋
１３１：挿着管部
１３２：拡径当接縁
１３３：係止フック
１４：位置決め孔
２０：足掛け部
２１：横方向貫通孔
２２：アーチ状の足ストラップ
３０，３０Ｂ：弾性引張管
３１，３１Ｂ：牽引伸張区間
３２，３２Ｂ：連結区間
３３，３３Ｂ：管口端
４０：ループ部位
５０：ハンドル
６０：弾性拘束スリーブ
６１：縦方向貫装孔
６２：横穴
７０：係着具
８０：縦方向スリーブ
９０：連結用の分岐管
９１：横方向通路
９２：縦方向錐状縮径通路
【図１】
0003221573.tif 000003
【図２】
0003221573.tif 000004
【図３】
0003221573.tif 000005
【図４】
0003221573.tif 000006
【図５】
0003221573.tif 000007
【図６】
0003221573.tif 000008
【図７】
0003221573.tif 000009
【図８】
0003221573.tif 000010
【図９】
0003221573.tif 000011
【図１０】
0003221573.tif 000012
【図１１】
0003221573.tif 000013
【図１２】
0003221573.tif 000014
【図１３】
0003221573.tif 000015